(57)【要約】【課題】本発明はニット帽の包装箱を開示した。【解決手段】箱体を含み、前記箱体の中にはチャンバが設けられ、前記チャンバの両側には昇降チャンバが相通して設けられ、前記チャンバの中には両端がそれぞれ前記昇降チャンバとスライドできるように接続される三つの遮断板がスライドできるように設けられ、三つの前記遮断板の間には左右対称な昇降装置が設けられ、両側の前記昇降装置の間が歯型ベルトによって伝動できるように接続され、前記チャンバの外側にはスライドチャンバが相通して設けられ、前記スライドチャンバの中には左右対称の閉鎖板がスライドできるように設けられ、前記閉鎖板の上端には第一復帰部品が固定的に設置され、右側の前記閉鎖板の左端にはフックが固定的に設置され、前記スライドチャンバの下側にはスライド溝が設けられる。【選択図】図１
2020152438.tif 000002
【特許請求の範囲】
【請求項１】
ニット帽の包装箱であって、箱体を含み、前記箱体の中にはチャンバが設けられ、前記チャンバの両側には昇降チャンバが相通して設けられ、前記チャンバの中には両端がそれぞれ前記昇降チャンバとスライドできるように接続される三つの遮断板がスライドできるように設けられ、三つの前記遮断板の間には左右対称な昇降装置が設けられ、両側の前記昇降装置の間が歯型ベルトによって伝動できるように接続され、前記チャンバの外側にはスライドチャンバが相通して設けられ、前記スライドチャンバの中には左右対称の閉鎖板がスライドできるように設けられ、前記閉鎖板の上端には第一復帰部品が固定的に設置され、右側の前記閉鎖板の左端にはフックが固定的に設置され、前記スライドチャンバの下側にはスライド溝が設けられ、右側の前記閉鎖板の下端面には前記スライド溝とスライドできるように接続されるスライドブロックが固定的に設置され、前記スライド溝の下側には回転装置が設けられ、前記回転装置が前記スライドブロックと当接でき、左側の前記閉鎖板には鍵穴が設けられ、前記鍵穴の下側には押し溝が相通して設けられ、前記押し溝の中にはロックブロックがスライドできるように設けられ、前記ロックブロックと前記押し溝との間には圧縮ばねが固定的に設置され、前記圧縮溝の左側には押し溝が連通溝を介して相通して設けられ、前記押し溝の中には押しロッドがスライドできるように設けられ、前記押しロッドと前記ロックブロックとの間が回転ロッドによって回転できるように接続され、前記押しロッドと前記押し溝との間には接続ばねが固定的に設置され、前記スライドチャンバの下側には押しチャンバが相通して設けられ、前記押しチャンバの下側には解錠装置が設けられ、前記解錠装置が前記押しロッドと当接でき、前記スライドチャンバの下側には回転チャンバが設けられ、前記回転チャンバの中には輪歯車が回転できるように設けられ、前記輪歯車の内端壁が前記回転装置と噛み合って接続される；前記昇降装置によって三つの前記遮断板の間の距離を調整でき、更に前記チャンバの空間分配を調整し、前記解錠装置によって前記閉鎖板を制御して前記チャンバを開けることを特徴とするニット帽の包装箱。
【請求項２】
前記昇降装置は前記遮断板の中に設置される前後対称の移動溝を含み、前記移動溝には案内溝が上下に相通して設けられ、前記移動溝の中には移動ブロックがスライドできるように設けられ、前記移動ブロックと前記移動溝との間には圧着ばねが固定的に設置され、前記移動ブロックには接続ロッドが回転できるように設けられ、三つの前記遮断板の間が前記接続ロッドによって回転できるように接続され、上側の前記遮断板の上端には前後対称の引縄が固定的に設置され、前記昇降チャンバの前後側には糸巻き部品が設けられ、前記糸巻き部品が上下対称の糸巻きチャンバを含み、前記糸巻きチャンバの中にはリールが回転できるように設けられ、前記糸巻きチャンバの間には糸溝が連通して設けられ、前記昇降チャンバの下側には回転溝が設けられ、前記引縄の下端が前記リールを通して前記回転溝の中に伸びており、前記回転溝の中には回転輪が回転軸によって回転できるように設けられ、前記引縄の下端が同じ側から前記回転輪に固定的に周設され、左右両側の前記回転軸の上端の間が前記歯型ベルトによって伝動できるように接続される；前記回転輪が回転して前記引縄によって前記遮断板を引き動かして上昇させることを特徴とする請求項１に記載のニット帽の包装箱。
【請求項３】
前記回転装置は前記スライド溝と相通する固定溝を含み、前記固定溝の中にはプッシュロッドがスライドできるように設けられ、前記プッシュロッドの下端面には第二復帰部品が固定的に設置され、前記固定溝の下側には噛合チャンバが相通して設けられ、前記噛合チャンバの中には固定ロッドがスライドできるように設けられ、前記固定ロッドの右端面には第三復帰部品が固定的に設置され、前記固定ロッドの右側には固定ブロックがスライドできるように設けられ、前記固定ブロックと前記第三復帰部品との間が縄によって固定的に接続され、前記固定ロッドの下端には回転ブロックが回転できるように設けられ、前記噛合チャンバの中には前記回転ブロックとスプラインによって接続できるプーリが回転できるように設けられ、前記プーリと右側の前記回転軸との間がベルトによって伝動できるように接続され、前記プーリには前記固定ブロックと引掛って接続される引掛り溝が左右に対称のように設けられ、前記回転チャンバの中には前記輪歯車と噛み合う回転歯車がスプライン軸によって回転できるように設けられ、前記スプライン軸が前記回転ブロックとスプラインによって接続できる；前記回転歯車が回転し、前記回転ブロックによって前記プーリを回転させて前記昇降装置を駆動して始動することを特徴とする請求項１に記載のニット帽の包装箱。
【請求項４】
前記解錠装置は前記押しチャンバと相通する歯型溝を含み、前記歯型溝の中にはラックがスライドできるように設けられ、前記歯型溝の左側には引き溝が連通チャンバによって相通して設けられ、前記引き溝の中には引きブロックがスライドできるように設けられ、前記引きブロックと前記ラックとの間には伝動歯車が噛み合って設置され、前記引きブロックと前記引き溝との間には伸縮ばねが固定的に設置され、前記引きブロックの前端面には前端が外部まで伸びている引きロッドが固定的に設置される；前記引きロッドを下へ引いて前記ラックを上昇させることを特徴とする請求項１に記載のニット帽の包装箱。
【発明の詳細な説明】
【技術分野】
【０００１】
本発明は包装技術分野に関し、具体的にはニット帽の包装箱である。
【背景技術】
【０００２】
現有のニット帽の包装箱は、その内部空間のサイズが固定されており、一般的にはシングル空間を設置してニット帽を入れるのであり、一個の帽子しか置かないと、空間上の浪費をもたらす恐れがある一方、複数の帽子を重ねて置くと変形しやすい欠点があるほか、現有の包装箱は操作や携帯に不便もあり、そのため、現有のニット帽の包装箱に対しさらなる改善が必要となり、その空間利用率と物品完全度を高める。
【先行技術文献】
【特許文献】
【０００３】
【特許文献１】中国特許出願公開第107095465号明細書
【発明の概要】
【発明が解決しようとする課題】
【０００４】
本発明の目的はニット帽の包装箱を提供し、それは上記の現在の技術中の問題を解決できる。
【課題を解決するための手段】
【０００５】
本発明は以下の技術プランを通じて実現する：本発明のニット帽の包装箱は、箱体を含み、前記箱体の中にはチャンバが設けられ、前記チャンバの両側には昇降チャンバが相通して設けられ、前記チャンバの中には両端がそれぞれ前記昇降チャンバとスライドできるように接続される三つの遮断板がスライドできるように設けられ、三つの前記遮断板の間には左右対称な昇降装置が設けられ、両側の前記昇降装置の間が歯型ベルトによって伝動できるように接続され、前記チャンバの外側にはスライドチャンバが相通して設けられ、前記スライドチャンバの中には左右対称の閉鎖板がスライドできるように設けられ、前記閉鎖板の上端には第一復帰部品が固定的に設置され、右側の前記閉鎖板の左端にはフックが固定的に設置され、前記スライドチャンバの下側にはスライド溝が設けられ、右側の前記閉鎖板の下端面には前記スライド溝とスライドできるように接続されるスライドブロックが固定的に設置され、前記スライド溝の下側には回転装置が設けられ、前記回転装置が前記スライドブロックと当接でき、左側の前記閉鎖板には鍵穴が設けられ、前記鍵穴の下側には押し溝が相通して設けられ、前記押し溝の中にはロックブロックがスライドできるように設けられ、前記ロックブロックと前記押し溝との間には圧縮ばねが固定的に設置され、前記圧縮溝の左側には押し溝が連通溝を介して相通して設けられ、前記押し溝の中には押しロッドがスライドできるように設けられ、前記押しロッドと前記ロックブロックとの間が回転ロッドによって回転できるように接続され、前記押しロッドと前記押し溝との間には接続ばねが固定的に設置され、前記スライドチャンバの下側には押しチャンバが相通して設けられ、前記押しチャンバの下側には解錠装置が設けられ、前記解錠装置が前記押しロッドと当接でき、前記スライドチャンバの下側には回転チャンバが設けられ、前記回転チャンバの中には輪歯車が回転できるように設けられ、前記輪歯車の内端壁が前記回転装置と噛み合って接続される；前記昇降装置によって三つの前記遮断板の間の距離を調整でき、更に前記チャンバの空間分配を調整し、前記解錠装置によって前記閉鎖板を制御して前記チャンバを開ける。
【０００６】
優選的には、前記昇降装置は前記遮断板の中に設置される前後対称の移動溝を含み、前記移動溝には案内溝が上下に相通して設けられ、前記移動溝の中には移動ブロックがスライドできるように設けられ、前記移動ブロックと前記移動溝との間には圧着ばねが固定的に設置され、前記移動ブロックには接続ロッドが回転できるように設けられ、三つの前記遮断板の間が前記接続ロッドによって回転できるように接続され、上側の前記遮断板の上端には前後対称の引縄が固定的に設置され、前記昇降チャンバの前後側には糸巻き部品が設けられ、前記糸巻き部品が上下対称の糸巻きチャンバを含み、前記糸巻きチャンバの中にはリールが回転できるように設けられ、前記糸巻きチャンバの間には糸溝が連通して設けられ、前記昇降チャンバの下側には回転溝が設けられ、前記引縄の下端が前記リールを通して前記回転溝の中に伸びており、前記回転溝の中には回転輪が回転軸によって回転できるように設けられ、前記引縄の下端が同じ側から前記回転輪に固定的に周設され、左右両側の前記回転軸の上端の間が前記歯型ベルトによって伝動できるように接続される；前記回転輪が回転して前記引縄によって前記遮断板を引き動かして上昇させる。
【０００７】
優選的には、前記回転装置は前記スライド溝と相通する固定溝を含み、前記固定溝の中にはプッシュロッドがスライドできるように設けられ、前記プッシュロッドの下端面には第二復帰部品が固定的に設置され、前記固定溝の下側には噛合チャンバが相通して設けられ、前記噛合チャンバの中には固定ロッドがスライドできるように設けられ、前記固定ロッドの右端面には第三復帰部品が固定的に設置され、前記固定ロッドの右側には固定ブロックがスライドできるように設けられ、前記固定ブロックと前記第三復帰部品との間が縄によって固定的に接続され、前記固定ロッドの下端には回転ブロックが回転できるように設けられ、前記噛合チャンバの中には前記回転ブロックとスプラインによって接続できるプーリが回転できるように設けられ、前記プーリと右側の前記回転軸との間がベルトによって伝動できるように接続され、前記プーリには前記固定ブロックと引掛って接続される引掛り溝が左右に対称のように設けられ、前記回転チャンバの中には前記輪歯車と噛み合う回転歯車がスプライン軸によって回転できるように設けられ、前記スプライン軸が前記回転ブロックとスプラインによって接続できる；前記回転歯車が回転し、前記回転ブロックによって前記プーリを回転させて前記昇降装置を駆動して始動する。
【０００８】
優選的には、前記解錠装置は前記押しチャンバと相通する歯型溝を含み、前記歯型溝の中にはラックがスライドできるように設けられ、前記歯型溝の左側には引き溝が連通チャンバによって相通して設けられ、前記引き溝の中には引きブロックがスライドできるように設けられ、前記引きブロックと前記ラックとの間には伝動歯車が噛み合って設置され、前記引きブロックと前記引き溝との間には伸縮ばねが固定的に設置され、前記引きブロックの前端面には前端が外部まで伸びている引きロッドが固定的に設置される；前記引きロッドを下へ引いて前記ラックを上昇させる。
【発明の効果】
【０００９】
本発明の有益効果は：本発明は構造が簡単で、操作が便利で、閉鎖板の水平の移動によって包装箱を開閉し、チャンバ内の空間分配をニット帽のサイズにより調節でき、これによってニット帽に包装箱内で形を維持させ、チャンバの空間利用率を向上させ、ニット帽を輸送又は保管する過程でも守られる。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明のニット帽の包装箱の内部構成略図である；
【図２】図２は図１のＡ−Ａの構成略図である；
【図３】図３は図１のＢ−Ｂの構成略図である；
【図４】図４は図１のＣの拡大構成略図である；
【図５】図５は図１のＤの拡大構造略図である；
【発明を実施するための形態】
【００１２】
以下、図１−５について本発明を詳しく説明し、便利に叙述するように、現在は後文に出る方位を下記の通りに規定する：後文に出る上下左右前後方向は図１本体の投影関係の上下左右前後方向と一致する。
【００１３】
図１−５を参照し、本発明のニット帽の包装箱は、箱体１０を含み、前記箱体１０の中にはチャンバ１１が設けられ、前記チャンバ１１の両側には昇降チャンバ１３が相通して設けられ、前記チャンバ１１の中には両端がそれぞれ前記昇降チャンバ１３とスライドできるように接続される三つの遮断板１２がスライドできるように設けられ、三つの前記遮断板１２の間には左右対称な昇降装置１００が設けられ、両側の前記昇降装置１００の間が歯型ベルト２６によって伝動できるように接続され、前記チャンバ１１の外側にはスライドチャンバ２８が相通して設けられ、前記スライドチャンバ２８の中には左右対称の閉鎖板２９がスライドできるように設けられ、前記閉鎖板２９の上端には第一復帰部品３０が固定的に設置され、右側の前記閉鎖板２９の左端にはフック３２が固定的に設置され、前記スライドチャンバ２８の下側にはスライド溝６７が設けられ、右側の前記閉鎖板２９の下端面には前記スライド溝６７とスライドできるように接続されるスライドブロック６９が固定的に設置され、前記スライド溝６７の下側には回転装置２００が設けられ、前記回転装置２００が前記スライドブロック６９と当接でき、左側の前記閉鎖板２９には鍵穴３１が設けられ、前記鍵穴３１の下側には押し溝３３が相通して設けられ、前記押し溝３３の中にはロックブロック３４がスライドできるように設けられ、前記ロックブロック３４と前記押し溝３３との間には圧縮ばね３５が固定的に設置され、前記圧縮溝３３の左側には押し溝３７が連通溝３６を介して相通して設けられ、前記押し溝３７の中には押しロッド３８がスライドできるように設けられ、前記押しロッド３８と前記ロックブロック３４との間が回転ロッド４０によって回転できるように接続され、前記押しロッド３８と前記押し溝３７との間には接続ばね３９が固定的に設置され、前記スライドチャンバ２８の下側には押しチャンバ４１が相通して設けられ、前記押しチャンバ４１の下側には解錠装置３００が設けられ、前記解錠装置３００が前記押しロッド３８と当接でき、前記スライドチャンバ２８の下側には回転チャンバ５１が設けられ、前記回転チャンバ５１の中には輪歯車５２が回転できるように設けられ、前記輪歯車５２の内端壁が前記回転装置２００と噛み合って接続される；前記昇降装置１００によって三つの前記遮断板１２の間の距離を調整でき、更に前記チャンバ１１の空間分配を調整し、前記解錠装置３００によって前記閉鎖板２９を制御して前記チャンバ１１を開ける。
【００１４】
有益的には、前記昇降装置１００は前記遮断板１２の中に設置される前後対称の移動溝１４を含み、前記移動溝１４には案内溝１５が上下に相通して設けられ、前記移動溝１４の中には移動ブロック１６がスライドできるように設けられ、前記移動ブロック１６と前記移動溝１４との間には圧着ばね７０が固定的に設置され、前記移動ブロック１６には接続ロッド１７が回転できるように設けられ、三つの前記遮断板１２の間が前記接続ロッド１７によって回転できるように接続され、上側の前記遮断板１２の上端には前後対称の引縄１８が固定的に設置され、前記昇降チャンバ１３の前後側には糸巻き部品４００が設けられ、前記糸巻き部品４００が上下対称の糸巻きチャンバ１９を含み、前記糸巻きチャンバ１９の中にはリール２０が回転できるように設けられ、前記糸巻きチャンバ１９の間には糸溝２１が連通して設けられ、前記昇降チャンバ１３の下側には回転溝２２が設けられ、前記引縄１８の下端が前記リール２０を通して前記回転溝２２の中に伸びており、前記回転溝２２の中には回転輪２３が回転軸２４によって回転できるように設けられ、前記引縄１８の下端が同じ側から前記回転輪２３に固定的に周設され、左右両側の前記回転軸２４の上端の間が前記歯型ベルト２６によって伝動できるように接続される；前記回転輪２３が回転して前記引縄１８によって前記遮断板１２を引き動かして上昇させる。
【００１５】
有益的には、前記回転装置２００は前記スライド溝６７と相通する固定溝６０を含み、前記固定溝６０の中にはプッシュロッド６６がスライドできるように設けられ、前記プッシュロッド６６の下端面には第二復帰部品６８が固定的に設置され、前記固定溝６０の下側には噛合チャンバ５５が相通して設けられ、前記噛合チャンバ５５の中には固定ロッド５９がスライドできるように設けられ、前記固定ロッド５９の右端面には第三復帰部品６１が固定的に設置され、前記固定ロッド５９の右側には固定ブロック６５がスライドできるように設けられ、前記固定ブロック６５と前記第三復帰部品６１との間が縄６２によって固定的に接続され、前記固定ロッド５９の下端には回転ブロック５８が回転できるように設けられ、前記噛合チャンバ５５の中には前記回転ブロック５８とスプラインによって接続できるプーリ５６が回転できるように設けられ、前記プーリ５６と右側の前記回転軸２４との間がベルト２７によって伝動できるように接続され、前記プーリ５６には前記固定ブロック６５と引掛って接続される引掛り溝５７が左右に対称のように設けられ、前記回転チャンバ５１の中には前記輪歯車５２と噛み合う回転歯車５３がスプライン軸５４によって回転できるように設けられ、前記スプライン軸５４が前記回転ブロック５８とスプラインによって接続できる；前記回転歯車５３が回転し、前記回転ブロック５８によって前記プーリ５６を回転させて前記昇降装置１００を駆動して始動する。
【００１６】
有益的には、前記解錠装置３００は前記押しチャンバ４１と相通する歯型溝４２を含み、前記歯型溝４２の中にはラック４３がスライドできるように設けられ、前記歯型溝４２の左側には引き溝４７が連通チャンバ４５によって相通して設けられ、前記引き溝４７の中には引きブロック４８がスライドできるように設けられ、前記引きブロック４８と前記ラック４３との間には伝動歯車４６が噛み合って設置され、前記引きブロック４８と前記引き溝４７との間には伸縮ばね５０が固定的に設置され、前記引きブロック４８の前端面には前端が外部まで伸びている引きロッド４９が固定的に設置される；前記引きロッド４９を下へ引いて前記ラック４３を上昇させる。
【００１７】
初期状態にある時、フック３２がロックブロック３４とロックされ、第一復帰部品３０が引張状態にあり、回転ブロック５８はスプライン軸５４及びプーリ５６とスプラインによって接続されていなく、固定ブロック６５が引掛り溝５７と接続され、遮断板１２がチャンバ１１の底部に収縮される。
【００１８】
装置を始動する時、引きロッド４９を下へ引くと、ラック４３が上昇し、押しロッド３８を押し動かして上昇させ、回転ロッド４０によってロックブロック３４を下降させ、フック３２が解錠され、閉鎖板２９が第一復帰部品３０の作用によって両側へ移動してチャンバ１１を開け、この時、スライドブロック６９がプッシュロッド６６を押して右へ移動させ、これにより固定ロッド５９が下降し、これにより回転ブロック５８がスプライン軸５４及びプーリ５６と接続され、縄６２によって固定ブロック６５を上昇させてプーリ５６を解錠し、ニット帽のサイズと高さにより、輪歯車５２を回し、プーリ５６を回転させ、ベルト２７と歯型ベルト２６によって回転輪２３を回転させ、これにより引縄１８が遮断板１２を引き動かして上昇させ、チャンバ１１の中の空間分配のサイズを調節し、ニット帽の高さに適応させ、ニット帽を遮断板１２に置き、それから、閉鎖板２９を向かい合って押し動かしてチャンバ１１を閉めてフック３２によってロックし、これによりプッシュロッド６６が左へ移動し、固定ロッド５９が復帰し、固定ブロック６５が重力の作用によって下降して引掛り溝５７と接続されてプーリ５６をロックし、これによりニット帽の包装を完成する。
【００１９】
本発明の有益効果は：本発明は構造が簡単で、操作が便利で、閉鎖板の水平の移動によって包装箱を開閉し、チャンバ内の空間分配をニット帽のサイズにより調節でき、これによってニット帽に包装箱内で形を維持させ、チャンバの空間利用率を向上させ、ニット帽を輸送又は保管する過程でも守られる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020152438.tif 000003
【図２】
2020152438.tif 000004
【図３】
2020152438.tif 000005
【図４】
2020152438.tif 000006
【図５】
2020152438.tif 000007
【手続補正書】
【提出日】令和1年5月23日(2019.5.23)
【手続補正１】
【補正対象書類名】特許請求の範囲
【補正対象項目名】全文
【補正方法】変更
【補正の内容】
【特許請求の範囲】
【請求項１】
ニット帽の包装箱であって、箱体を含み、前記箱体の中にはチャンバが設けられ、前記チャンバの前後側内壁の中にはそれぞれ昇降チャンバが設けられ、前記チャンバの中には前後両端がそれぞれ前後両側の前記昇降チャンバとスライドできるように接続される三つの遮断板がスライドできるように設けられ、三つの前記遮断板の間には左右対称な昇降装置が設けられ、両側の前記昇降装置の間が歯型ベルトによって伝動できるように接続され、前記チャンバの外側にはスライドチャンバが相通して設けられ、前記スライドチャンバの中には左右対称の閉鎖板がスライドできるように設けられ、前記閉鎖板の上端には第一復帰部品が固定的に設置され、右側の前記閉鎖板の左端にはフックが固定的に設置され、前記スライドチャンバの下側にはスライド溝が設けられ、右側の前記閉鎖板の下端面には前記スライド溝とスライドできるように接続されるスライドブロックが固定的に設置され、前記スライド溝の下側には回転装置が設けられ、前記回転装置が前記スライドブロックと当接でき、左側の前記閉鎖板には鍵穴が設けられ、前記鍵穴の下側には押し溝が相通して設けられ、前記押し溝の中にはロックブロックがスライドできるように設けられ、前記ロックブロックと前記押し溝との間には圧縮ばねが固定的に設置され、前記押し溝の左側には押し溝が連通溝を介して相通して設けられ、前記押し溝の中には押しロッドがスライドできるように設けられ、前記押しロッドと前記ロックブロックとの間が回転ロッドによって回転できるように接続され、前記押しロッドと前記押し溝との間には接続ばねが固定的に設置され、前記スライドチャンバの下側には押しチャンバが相通して設けられ、前記押しチャンバの下側には解錠装置が設けられ、前記解錠装置が前記押しロッドと当接でき、前記スライドチャンバの下側には回転チャンバが設けられ、前記回転チャンバの中には輪歯車が回転できるように設けられ、前記輪歯車の内端壁が前記回転装置と噛み合って接続され、
前記昇降装置によって三つの前記遮断板の間の距離を調整でき、更に前記チャンバの空間分配を調整し、前記解錠装置によって前記閉鎖板を制御して前記チャンバを開けることを特徴とするニット帽の包装箱。
【請求項２】
前記昇降装置は前記遮断板の中に設置される前後対称の移動溝を含み、前記移動溝の上下側内壁の中にはそれぞれ案内溝が連通するように設けられ、前記移動溝の中には移動ブロックがスライドできるように設けられ、前記移動ブロックと前記移動溝との間には圧着ばねが固定的に設置され、前記移動ブロックには接続ロッドが回転できるように設けられ、三つの前記遮断板のうち隣の二つの前記遮断板が前記接続ロッドにより接続され、且つ前記接続ロッドが前記遮断板と回転可能に接続され、上側の前記遮断板の上端には前後対称の引縄が固定的に設置され、前記昇降チャンバの前後側には糸巻き部品が設けられ、前記糸巻き部品が上下対称の糸巻きチャンバを含み、前記糸巻きチャンバの中にはリールが回転できるように設けられ、前記糸巻きチャンバの間には糸溝が連通して設けられ、前記昇降チャンバの下側には回転溝が設けられ、前記引縄の下端が前記リールを通して前記回転溝の中に伸びており、前記回転溝の中には回転輪が回転軸によって回転できるように設けられ、前記引縄の下端が前記回転輪に周設され、左右両側の前記回転軸の上端の間が前記歯型ベルトによって伝動できるように接続され、
前記回転輪が回転して前記引縄によって前記遮断板を引き動かして上昇させることを特徴とする請求項１に記載のニット帽の包装箱。
【請求項３】
前記回転装置は前記スライド溝と相通する固定溝を含み、前記固定溝の中にはプッシュロッドがスライドできるように設けられ、前記プッシュロッドの下端面には第二復帰部品が固定的に設置され、前記固定溝の下側には噛合チャンバが相通して設けられ、前記噛合チャンバの中には固定ロッドがスライドできるように設けられ、前記固定ロッドの右端面には第三復帰部品が固定的に設置され、前記固定ロッドの右側には固定ブロックがスライドできるように設けられ、前記固定ブロックと前記第三復帰部品との間が縄によって固定的に接続され、前記固定ロッドの下端には回転ブロックが回転できるように設けられ、前記噛合チャンバの中には前記回転ブロックとスプラインによって接続できるプーリが回転できるように設けられ、前記プーリと右側の前記回転軸との間がベルトによって伝動できるように接続され、前記プーリには前記固定ブロックと引掛って接続される引掛り溝が左右に対称のように設けられ、前記回転チャンバの中には前記輪歯車と噛み合う回転歯車がスプライン軸によって回転できるように設けられ、前記スプライン軸が前記回転ブロックとスプラインによって接続でき、
前記回転歯車が回転し、前記回転ブロックによって前記プーリを回転させて前記昇降装置を駆動して始動することを特徴とする請求項１に記載のニット帽の包装箱。
【請求項４】
前記解錠装置は前記押しチャンバと相通する歯型溝を含み、前記歯型溝の中にはラックがスライドできるように設けられ、前記歯型溝の左側には引き溝が連通チャンバによって相通して設けられ、前記引き溝の中には引きブロックがスライドできるように設けられ、前記引きブロックと前記ラックとの間には伝動歯車が噛み合って設置され、前記引きブロックと前記引き溝との間には伸縮ばねが固定的に設置され、前記引きブロックの前端面には前端が外部まで伸びている引きロッドが固定的に設置され、
前記引きロッドを下へ引いて前記ラックを上昇させることを特徴とする請求項１に記載のニット帽の包装箱。
【手続補正２】
【補正対象書類名】明細書
【補正対象項目名】全文
【補正方法】変更
【補正の内容】
【発明の詳細な説明】
【技術分野】
【０００１】
本発明は包装技術分野に関し、具体的にはニット帽の包装箱である。
【背景技術】
【０００２】
現有のニット帽の包装箱は、その内部空間のサイズが固定されており、一般的にはシングル空間を設置してニット帽を入れるのであり、一個の帽子しか置かないと、空間上の浪費をもたらす恐れがある一方、複数の帽子を重ねて置くと変形しやすい欠点があるほか、現有の包装箱は操作や携帯に不便もあり、そのため、現有のニット帽の包装箱に対しさらなる改善が必要となり、その空間利用率と物品完全度を高める。
【先行技術文献】
【特許文献】
【０００３】
【特許文献１】中国特許出願公開第107095465号明細書
【発明の概要】
【発明が解決しようとする課題】
【０００４】
本発明の目的はニット帽の包装箱を提供し、それは上記の現在の技術中の問題を解決でき
る。
【課題を解決するための手段】
【０００５】
本発明は以下の技術プランを通じて実現する：本発明のニット帽の包装箱は、箱体を含み、前記箱体の中にはチャンバが設けられ、前記チャンバの前後側内壁の中にはそれぞれ昇降チャンバが設けられ、前記チャンバの中には前後両端がそれぞれ前後両側の前記昇降チャンバとスライドできるように接続される三つの遮断板がスライドできるように設けられ、三つの前記遮断板の間には左右対称な昇降装置が設けられ、両側の前記昇降装置の間が歯型ベルトによって伝動できるように接続され、前記チャンバの外側にはスライドチャンバが相通して設けられ、前記スライドチャンバの中には左右対称の閉鎖板がスライドできるように設けられ、前記閉鎖板の上端には第一復帰部品が固定的に設置され、右側の前記閉鎖板の左端にはフックが固定的に設置され、前記スライドチャンバの下側にはスライド溝が設けられ、右側の前記閉鎖板の下端面には前記スライド溝とスライドできるように接続されるスライドブロックが固定的に設置され、前記スライド溝の下側には回転装置が設けられ、前記回転装置が前記スライドブロックと当接でき、左側の前記閉鎖板には鍵穴が設けられ、前記鍵穴の下側には押し溝が相通して設けられ、前記押し溝の中にはロックブロックがスライドできるように設けられ、前記ロックブロックと前記押し溝との間には圧縮ばねが固定的に設置され、前記押し溝の左側には押し溝が連通溝を介して相通して設けられ、前記押し溝の中には押しロッドがスライドできるように設けられ、前記押しロッドと前記ロックブロックとの間が回転ロッドによって回転できるように接続され、前記押しロッドと前記押し溝との間には接続ばねが固定的に設置され、前記スライドチャンバの下側には押しチャンバが相通して設けられ、前記押しチャンバの下側には解錠装置が設けられ、前記解錠装置が前記押しロッドと当接でき、前記スライドチャンバの下側には回転チャンバが設けられ、前記回転チャンバの中には輪歯車が回転できるように設けられ、前記輪歯車の内端壁が前記回転装置と噛み合って接続され、
前記昇降装置によって三つの前記遮断板の間の距離を調整でき、更に前記チャンバの空間分配を調整し、前記解錠装置によって前記閉鎖板を制御して前記チャンバを開ける。
【０００６】
優選的には、前記昇降装置は前記遮断板の中に設置される前後対称の移動溝を含み、前記移動溝の上下側内壁の中にはそれぞれ案内溝が連通するように設けられ、前記移動溝の中には移動ブロックがスライドできるように設けられ、前記移動ブロックと前記移動溝との間には圧着ばねが固定的に設置され、前記移動ブロックには接続ロッドが回転できるように設けられ、三つの前記遮断板のうち隣の二つの前記遮断板が前記接続ロッドにより接続され、且つ前記接続ロッドが前記遮断板と回転可能に接続され、上側の前記遮断板の上端には前後対称の引縄が固定的に設置され、前記昇降チャンバの前後側には糸巻き部品が設けられ、前記糸巻き部品が上下対称の糸巻きチャンバを含み、前記糸巻きチャンバの中にはリールが回転できるように設けられ、前記糸巻きチャンバの間には糸溝が連通して設けられ、前記昇降チャンバの下側には回転溝が設けられ、前記引縄の下端が前記リールを通して前記回転溝の中に伸びており、前記回転溝の中には回転輪が回転軸によって回転できるように設けられ、前記引縄の下端が前記回転輪に周設され、左右両側の前記回転軸の上端の間が前記歯型ベルトによって伝動できるように接続され、
前記回転輪が回転して前記引縄によって前記遮断板を引き動かして上昇させる。
【０００７】
優選的には、前記回転装置は前記スライド溝と相通する固定溝を含み、前記固定溝の中にはプッシュロッドがスライドできるように設けられ、前記プッシュロッドの下端面には第二復帰部品が固定的に設置され、前記固定溝の下側には噛合チャンバが相通して設けられ、前記噛合チャンバの中には固定ロッドがスライドできるように設けられ、前記固定ロッドの右端面には第三復帰部品が固定的に設置され、前記固定ロッドの右側には固定ブロックがスライドできるように設けられ、前記固定ブロックと前記第三復帰部品との間が縄によって固定的に接続され、前記固定ロッドの下端には回転ブロックが回転できるように設けられ、前記噛合チャンバの中には前記回転ブロックとスプラインによって接続できるプーリが回転できるように設けられ、前記プーリと右側の前記回転軸との間がベルトによって伝動できるように接続され、前記プーリには前記固定ブロックと引掛って接続される引掛り溝が左右に対称のように設けられ、前記回転チャンバの中には前記輪歯車と噛み合う回転歯車がスプライン軸によって回転できるように設けられ、前記スプライン軸が前記回転ブロックとスプラインによって接続でき、
前記回転歯車が回転し、前記回転ブロックによって前記プーリを回転させて前記昇降装置を駆動して始動する。
【０００８】
優選的には、前記解錠装置は前記押しチャンバと相通する歯型溝を含み、前記歯型溝の中にはラックがスライドできるように設けられ、前記歯型溝の左側には引き溝が連通チャンバによって相通して設けられ、前記引き溝の中には引きブロックがスライドできるように設けられ、前記引きブロックと前記ラックとの間には伝動歯車が噛み合って設置され、前記引きブロックと前記引き溝との間には伸縮ばねが固定的に設置され、前記引きブロックの前端面には前端が外部まで伸びている引きロッドが固定的に設置され、
前記引きロッドを下へ引いて前記ラックを上昇させる。
【発明の効果】
【０００９】
本発明の有益効果は：本発明は構造が簡単で、操作が便利で、閉鎖板の水平の移動によって包装箱を開閉し、チャンバ内の空間分配をニット帽のサイズにより調節でき、これによってニット帽に包装箱内で形を維持させ、チャンバの空間利用率を向上させ、ニット帽を輸送又は保管する過程でも守られる。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明のニット帽の包装箱の内部構成略図
【図２】図２は図１のＡ−Ａの構成略図
【図３】図３は図１のＢ−Ｂの構成略図
【図４】図４は図１のＣの拡大構成略図
【図５】図５は図１のＤの拡大構造略図
【発明を実施するための形態】
【００１２】
以下、図１〜５について本発明を詳しく説明し、便利に叙述するように、現在は後文に出る方位を下記の通りに規定する：後文に出る上下左右前後方向は図１本体の投影関係の上下左右前後方向と一致する。
【００１３】
図１〜５を参照し、上側に第一復帰部品30を有し、下側に回転チャンバ51有し、左側に鍵穴３１有し、右側にフック３２を有するニット帽の包装箱は、箱体１０を含み、前記箱体１０の中にはチャンバ１１が設けられ、前記チャンバ１１の前後側内壁の中にはそれぞれ昇降チャンバ１３が設けられ、前記チャンバ１１の中には前後両端がそれぞれ前後両側の前記昇降チャンバ１３とスライドできるように接続される三つの遮断板１２がスライドできるように設けられ、三つの前記遮断板１２の間には左右対称な昇降装置１００が設けられ、両側の前記昇降装置１００の間が歯型ベルト２６によって伝動できるように接続され、前記チャンバ１１の外側にはスライドチャンバ２８が相通して設けられ、前記スライドチャンバ２８の中には左右対称の閉鎖板２９がスライドできるように設けられ、前記閉鎖板２９の上端には第一復帰部品３０が固定的に設置され、右側の前記閉鎖板２９の左端にはフック３２が固定的に設置され、前記スライドチャンバ２８の下側にはスライド溝６７が設けられ、右側の前記閉鎖板２９の下端面には前記スライド溝６７とスライドできるように接続されるスライドブロック６９が固定的に設置され、前記スライド溝６７の下側には回転装置２００が設けられ、前記回転装置２００が前記スライドブロック６９と当接でき、左側の前記閉鎖板２９には鍵穴３１が設けられ、前記鍵穴３１の下側には押し溝３３が相通して設けられ、前記押し溝３３の中にはロックブロック３４がスライドできるように設けられ、前記ロックブロック３４と前記押し溝３３との間には圧縮ばね３５が固定的に設置され、前記押し溝３３の左側には押し溝３７が連通溝３６を介して相通して設けられ、前記押し溝３７の中には押しロッド３８がスライドできるように設けられ、前記押しロッド３８と前記ロックブロック３４との間が回転ロッド４０によって回転できるように接続され、前記押しロッド３８と前記押し溝３７との間には接続ばね３９が固定的に設置され、前記スライドチャンバ２８の下側には押しチャンバ４１が相通して設けられ、前記押しチャンバ４１の下側には解錠装置３００が設けられ、前記解錠装置３００が前記押しロッド３８と当接でき、前記スライドチャンバ２８の下側には回転チャンバ５１が設けられ、前記回転チャンバ５１の中には輪歯車５２が回転できるように設けられ、前記輪歯車５２の内端壁が前記回転装置２００と噛み合って接続され、
前記昇降装置１００によって三つの前記遮断板１２の間の距離を調整でき、更に前記チャンバ１１の空間分配を調整し、前記解錠装置３００によって前記閉鎖板２９を制御して前記チャンバ１１を開ける。
【００１４】
有益的には、前記昇降装置１００は前記遮断板１２の中に設置される前後対称の移動溝１４を含み、前記移動溝１４の上下側内壁の中にはそれぞれ案内溝１５が連通するように設けられ、前記移動溝１４の中には移動ブロック１６がスライドできるように設けられ、前記移動ブロック１６と前記移動溝１４との間には圧着ばね７０が固定的に設置され、前記移動ブロック１６には接続ロッド１７が回転できるように設けられ、三つの前記遮断板１２のうち隣の二つの前記遮断板１２が前記接続ロッド１７により接続され、且つ前記接続ロッド１７が前記遮断板１２と回転可能に接続され、上側の前記遮断板１２の上端には前後対称の引縄１８が固定的に設置され、前記昇降チャンバ１３の前後側には糸巻き部品４００が設けられ、前記糸巻き部品４００が上下対称の糸巻きチャンバ１９を含み、前記糸巻きチャンバ１９の中にはリール２０が回転できるように設けられ、前記糸巻きチャンバ１９の間には糸溝２１が連通して設けられ、前記昇降チャンバ１３の下側には回転溝２２が設けられ、前記引縄１８の下端が前記リール２０を通して前記回転溝２２の中に伸びており、前記回転溝２２の中には回転輪２３が回転軸２４によって回転できるように設けられ、前記引縄１８の下端が前記回転輪２３に周設され、左右両側の前記回転軸２４の上端の間が前記歯型ベルト２６によって伝動できるように接続され、
、
前記回転輪２３が回転して前記引縄１８によって前記遮断板１２を引き動かして上昇させる。
【００１５】
有益的には、前記回転装置２００は前記スライド溝６７と相通する固定溝６０を含み、前記固定溝６０の中にはプッシュロッド６６がスライドできるように設けられ、前記プッシュロッド６６の下端面には第二復帰部品６８が固定的に設置され、前記固定溝６０の下側には噛合チャンバ５５が相通して設けられ、前記噛合チャンバ５５の中には固定ロッド５９がスライドできるように設けられ、前記固定ロッド５９の右端面には第三復帰部品６１が固定的に設置され、前記固定ロッド５９の右側には固定ブロック６５がスライドできるように設けられ、前記固定ブロック６５と前記第三復帰部品６１との間が縄６２によって固定的に接続され、前記固定ロッド５９の下端には回転ブロック５８が回転できるように設けられ、前記噛合チャンバ５５の中には前記回転ブロック５８とスプラインによって接続できるプーリ５６が回転できるように設けられ、前記プーリ５６と右側の前記回転軸２４との間がベルト２７によって伝動できるように接続され、前記プーリ５６には前記固定ブロック６５と引掛って接続される引掛り溝５７が左右に対称のように設けられ、前記回転チャンバ５１の中には前記輪歯車５２と噛み合う回転歯車５３がスプライン軸５４によって回転できるように設けられ、前記スプライン軸５４が前記回転ブロック５８とスプラインによって接続でき、
前記回転歯車５３が回転し、前記回転ブロック５８によって前記プーリ５６を回転させて前記昇降装置１００を駆動して始動する。
【００１６】
有益的には、前記解錠装置３００は前記押しチャンバ４１と相通する歯型溝４２を含み、前記歯型溝４２の中にはラック４３がスライドできるように設けられ、前記歯型溝４２の左側には引き溝４７が連通チャンバ４５によって相通して設けられ、前記引き溝４７の中には引きブロック４８がスライドできるように設けられ、前記引きブロック４８と前記ラック４３との間には伝動歯車４６が噛み合って設置され、前記引きブロック４８と前記引き溝４７との間には伸縮ばね５０が固定的に設置され、前記引きブロック４８の前端面には前端が外部まで伸びている引きロッド４９が固定的に設置され、
前記引きロッド４９を下へ引いて前記ラック４３を上昇させる。
【００１７】
初期状態にある時、フック３２がロックブロック３４とロックされ、第一復帰部品３０が引張状態にあり、回転ブロック５８はスプライン軸５４及びプーリ５６とスプラインによって接続されていなく、固定ブロック６５が引掛り溝５７と接続され、遮断板１２がチャンバ１１の底部に収縮される。
【００１８】
装置を始動する時、引きロッド４９を下へ引くと、ラック４３が上昇し、押しロッド３８を押し動かして上昇させ、回転ロッド４０によってロックブロック３４を下降させ、フック３２が解錠され、閉鎖板２９が第一復帰部品３０の作用によって両側へ移動してチャンバ１１を開け、この時、スライドブロック６９がプッシュロッド６６を押して右へ移動させ、これにより固定ロッド５９が下降し、これにより回転ブロック５８がスプライン軸５４及びプーリ５６と接続され、縄６２によって固定ブロック６５を上昇させてプーリ５６を解錠し、ニット帽のサイズと高さにより、輪歯車５２を回し、プーリ５６を回転させ、ベルト２７と歯型ベルト２６によって回転輪２３を回転させ、これにより引縄１８が遮断板１２を引き動かして上昇させ、チャンバ１１の中の空間分配のサイズを調節し、ニット帽の高さに適応させ、ニット帽を遮断板１２に置き、それから、閉鎖板２９を向かい合って押し動かしてチャンバ１１を閉めてフック３２によってロックし、これによりプッシュロッド６６が左へ移動し、固定ロッド５９が復帰し、固定ブロック６５が重力の作用によって下降して引掛り溝５７と接続されてプーリ５６をロックし、これによりニット帽の包装を完成する。
【００１９】
本発明の有益効果は：本発明は構造が簡単で、操作が便利で、閉鎖板の水平の移動によって包装箱を開閉し、チャンバ内の空間分配をニット帽のサイズにより調節でき、これによってニット帽に包装箱内で形を維持させ、チャンバの空間利用率を向上させ、ニット帽を輸送又は保管する過程でも守られる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。